(57)【要約】複数の正弦波によってオーディオ信号のうちの少なくとも一部を表す(12)ことによってオーディオ信号(x(t))を符号化する(1)方法を備え、この方法は、オーディオ信号の第１セグメントに対して解析を行う工程、解析に基づいて候補正弦波を選択する工程、特定の時点での候補正弦波の位相を別の時点で判定される候補正弦波の位相から予測することが可能である程度によって規定される位相の一致性を候補正弦波のうちの少なくとも１つについて判定する工程、及び位相の一致性が所定の閾値を上回る場合、候補正弦波を選択正弦波として選択する工程を備える。本発明による、正弦波の選択は、所定のオーディオ品質に対して符号化される対象の正弦波の数を少なくすることになり、これは、所定のオーディオ品質に対するビット・レートの点で効果的である。
2006510937.tif 000002
【特許請求の範囲】
【請求項１】
オーディオ信号を、該オーディオ信号の少なくとも一部を複数の正弦波によって表すことによって符号化する方法であって：
該オーディオ信号の第１セグメントに対して解析を行う工程：
候補正弦波を該解析に基づいて選択する工程；
該候補正弦波のうちの少なくとも１つについて、特定時点での該候補正弦波の位相を別の時点で判定される該候補正弦波の位相から予測することが可能な程度によって規定される位相の一致性を判定する工程；及び
該候補正弦波を選択正弦波として、当該位相の一致性が所定の閾値を上回る場合に選択する工程を備えることを特徴とする方法。
【請求項２】
請求項1記載の方法であって、該候補正弦波の位相の一致性の該判定が：
該オーディオ信号の第２セグメントを少なくとも第１部分及び第２部分に分割する工程；
該候補正弦波の実際の位相を少なくとも該第１部分及び該第２部分において判定する工程；
該第１部分における実際の位相を用いて、該第２部分における実際の位相を予測する入力としての役目を担う工程；及び
該候補正弦波の位相の一致性を、該第２部分における該実際の位相と該予測位相との間の予測エラーに基づいて判定する工程を備えることを特徴とする方法。
【請求項３】
請求項1記載の方法であって、更に：
該選択正弦波からの更なる選択を備え、該更なる選択は：
該選択正弦波のうちの少なくとも１つについて、該選択正弦波の周波数付近の局所周波数帯域を規定する工程；
該局所周波数帯域内の該選択正弦波のうちの少なくとも１つが排除される、該局所周波数帯域内の周波数成分の振幅を合成する工程；及び
該選択正弦波を別の選択正弦波として該振幅の合成に応じて更に選択する工程を備えることを特徴とする方法。
【請求項４】
請求項3記載の方法であって、該選択正弦波の周波数付近の該局所周波数の帯域幅が該正弦波の周波数に依存して規定されることを特徴とする方法。
【請求項５】
請求項4記載の方法であって、該選択正弦波の周波数に対する該依存は人間の聴覚に基づくものであることを特徴とする方法。
【請求項６】
請求項3記載の方法であって、該選択正弦波は更に、別の選択正弦波として、当該振幅が該振幅の合成に対して相当のものである場合に選択され、該相当のものであることは、該選択正弦波の振幅と、該局所周波数帯域内の該選択正弦波のうちの少なくとも１つが排除される、該選択正弦波の局所周波数帯域内の周波数成分の重み付け平均振幅との間の差異を閾値処理することによって評価されることを特徴とする方法。
【請求項７】
請求項3記載の方法であって、該選択正弦波は更に、別の選択正弦波として、当該振幅が該振幅の合成に対して相当のものである場合に選択され、該相当のものであることは：
該選択正弦波の振幅と、該局所周波数帯域内の該選択正弦波のうちの少なくとも１つが排除される、該選択正弦波の局所周波数帯域内の周波数成分の重み付け平均振幅との間の差異の；
該局所周波数帯域内の該選択正弦波のうちの少なくとも１つが排除される、該局所周波数帯域内の周波数成分の該振幅の重み付け偏差に対する；
比率を閾値処理することによって評価されることを特徴とする方法。
【請求項８】
オーディオ信号を、該オーディオ信号の少なくとも一部を複数の正弦波によって表すことによって符号化するオーディオ符号器であって：
該オーディオ信号の第１セグメントに対して解析を行う手段：
候補正弦波を該解析に基づいて選択する手段；
該候補正弦波のうちの少なくとも１つについて、特定時点での該候補正弦波の位相を別の時点で判定される該候補正弦波の位相から予測することが可能な程度によって規定される位相の一致性を判定する手段；及び
該候補正弦波を選択正弦波として、当該位相の一致性が所定の閾値を上回る場合に選択する手段を備えることを特徴とするオーディオ符号器。
【請求項９】
請求項8記載のオーディオ符号器であって、更に、該選択正弦波からの更なる選択を行うよう考案され、該更なる選択について、更に：
該選択正弦波のうちの少なくとも１つについて、該選択正弦波の周波数付近の局所周波数帯域を規定する手段；
該局所周波数帯域内の該選択正弦波のうちの少なくとも１つが排除される、該局所周波数帯域内の周波数成分の振幅を合成する手段；及び
該選択正弦波を別の選択正弦波として該振幅の合成に応じて更に選択する手段を備えることを特徴とするオーディオ符号器。
【請求項１０】
オーディオ・システムであって、オーディオ信号を得る手段、該オーディオ信号を符号化して符号化オーディオ信号を得る、請求項8又は9記載のオーディオ符号器、及び該符号化オーディオ信号を、記憶及び/又は伝送に適した形式にフォーマッティングするフォーマッティング装置を備えることを特徴とするオーディオ・システム。
【発明の詳細な説明】
【技術分野】
【０００１】
本発明は、一般的に、オーディオ信号を再生するうえで適切な正弦波を選択し、オーディオ信号のパラメータが符号化される、オーディオ信号の符号化に関する。
【背景技術】
【０００２】
正弦波オーディオ符号器では、オーディオ信号の少なくとも一部分が複数の正弦波によって表され、正弦波は通常、その周波数、その振幅、更には任意的にその位相によって表される。符号化処理では、オーディオ信号は、時間セグメントに分割され、このセグメントはその周波数成分について解析される。通常、オーディオ符号器において用いられるセグメント・サイズは5msから60msの範囲内にある。セグメント毎にいくつかのセグメントが選択され、そのパラメータが後に符号化される。所定のオーディオ品質に対するビット・レートを最小にするために、適切な正弦波、すなわち、受け入れられる知覚品質で符号化オーディオ信号を再生するのに必要な正弦波、しか選択しなくてよく、符号化しなくてよい。
【０００３】
ピーク選択と呼ばれる、正弦波を選択する方法を開示するものがあり（非特許文献1参照。）、ピーク選択方法は、振幅スペクトルにおけるピークを有する周波数の選択を備える。更に、マッチング追跡と呼ばれる繰り返し処理である、正弦波を選択する別の方法を開示するものもある（非特許文献2参照。）。繰り返し毎に、振幅スペクトルにおいて最高のピークを有する周波数が選択され、後に、信号から減算される。残差信号は次の繰り返しにおいて用いられる。当該処理は通常、固定数の正弦波が選択される場合に停止される。
【非特許文献１】R.  McAulay  and  T.  Quartieri,  “Speech  analysis/synthesis  based  on  sinusoidal  representation”,  IEEE  Transaction  on  Acoustics,  Speech  and  Signal  Processing,  1986,  43:744-754
【非特許文献２】R.Heusdens  and  S.van  der  Par,  “Rate-distortion  optimal  sinusoidal  modeling  of  audio  and  speech  using  psychoacoustical  matching  pursuits”,  Proc.  IEEE  Int.  Conf.  Acoust.  Speech  and  signal  Proc.,Orlando(USA),  2002
【発明の開示】
【発明が解決しようとする課題】
【０００４】
ピーク選択方法から生じる課題は、全てのピークが選択されるので、推定される正弦波の数が事前に既知でないというものである。特に、振幅スペクトルが雑音を有する場合、選択される正弦波の数が多すぎるものになる。ピーク選択と対照的に、マッチング追跡においては選択正弦波の数は固定である。よって、全ての適切な正弦波が選択されることになるようにするために、この固定数は高く設定することとする。この場合もまた、選択される正弦波の数が多すぎるものになる。選択される正弦波の数が多すぎることによって、高ビット・レートをもたらすが、それは、これらの正弦波の全てを符号化しなければならないからである。別の欠点は、処理時間における余分な費用である。例えば永久モデリングは、人間の耳によって聴くことが可能なオーディオ信号部分のみを符号化するために、多くのオーディオ符号器において用いられている処理である。このモデリングは、費用のかかる処理であり得るものであり、その結果、解析されなければならない正弦波が多数であることは望ましくないものである。
【課題を解決するための手段】
【０００５】
本発明の目的は、所定のオーディオ品質に対するビット・レートの点で効果的なオーディオ符号化を備えることにある。この目的で、本発明は、独立クレイムに記載されている符号化方法、オーディオ符号器及びオーディオ・システムを備える。効果的な実施例は従属クレイムに記載されている。
【０００６】
本発明の第１の特徴は、正弦波符号化方法を備え、この方法は、オーディオ信号の第１セグメントに対する解析を行う工程、該解析に基づいて候補正弦波を選択する工程、特定の時点での該候補正弦波の位相を別の時点で判定される、該候補正弦波の位相から予測することが可能である程度によって規定される位相の一致性を該候補正弦波のうちの少なくとも１つについて判定する工程、及びその位相の一致性が所定の閾値を上回る場合に該候補正弦波を選択正弦波として選択する工程を備える。候補正弦波を選択する解析は通常、周波数解析となる。そのような周波数解析は通常、例えば、ピーク選択又はマッチング追跡などの従来の正弦波選択手法において用いられる。特定の時点での候補正弦波の位相は、別の時点で判定される候補正弦波の位相から予測することが可能であるが、それは、その周波数と、予測時点と判定時点との間の時間差が既知であるからである。本発明は、正弦波が復号器で合成されて符号化オーディオ信号を再生する場合、正弦波の位置が一致することになるという洞察に基づくものである。符号化するよう、位相が一致している正弦波を選択することによって、より良好な選択が行われる。選択される正弦波のみが符号化される。その結果、位相の一致性に基づいた選択手順は、所定のオーディオ品質に対して、符号化する対象の正弦波の数が少なくなり、これは、所定のオーディオ品質に対するビット・レートの点で効果的である。
【０００７】
本発明の一実施例では、該候補正弦波の位相の一致性は、該オーディオ信号の第２セグメントを少なくとも第１部分及び第２部分に分割し、少なくとも第１部分及び第２部分における該候補の実際の位相を判定し、第１部分における実際の位相を用いて、第２部分における実際の位相を予測する入力としての役目を担い、第２部分における実際の位相と予測位相との間の予測エラーに基づいて候補正弦波の位相一致性を判定することによって判定される。通常、第２セグメントは候補正弦波の選択において用いられる第１セグメントに等しいことになるが、これは必ずしもあてはまるものでない。この実施例の効果は、候補正弦波の実際の位相を、オーディオ信号の一部を入力として必要とするFFT手順などの周波数解析を行うことによって容易に判定することが可能である。
【０００８】
本発明の別の実施例では、別の選択手順が選択正弦波に対して適用される。この別の選択手順は、選択正弦波の周波数付近の局所周波数帯域を選択正弦波のうちの少なくとも１つについて規定する工程、局所周波数帯域内の選択正弦波のうちの少なくとも１つからの局所周波数帯域内の周波数成分の振幅を合成する工程、及び、選択正弦波を更に選択される正弦波として振幅の合成に応じて更に選択する工程を備える。選択正弦波に対して適用される更なる選択手順については、解析がオーディオ信号の第３セグメントに対して行われる。通常、第３セグメントは選択正弦波の選択に用いる第２セグメントに等しくなるが、これは必ずしもあてはまるものでない。局所周波数帯域内の選択正弦波のうちの少なくとも１つが排除される、局所周波数帯域内の周波数成分の振幅を合成することによって、選択正弦波の局所周波数帯域内のバックグラウンド周波数成分についての尺度を得る。この尺度を用いて、より良好な選択を行う。更に、別の選択は、その位相と無関係の、正弦波の振幅に基づくものである。よって、別の選択は、先行選択手順によって選択された選択正弦波の数と比較して別に選択される正弦波の数が更に削減することをもたらし得る。更に選択される正弦波のみを符号化する必要があることになる。その結果、更なる選択手順は、所定のオーディオ品質に対して符号化される対象の正弦波の数が少なくなり、これは所定のオーディオ品質に対するビット・レートの点で効果的である。位相の一致性に基づいた選択手順と、振幅に基づいた別の選択手順とが無関係であるので、両方の選択点順を並列に行うことも可能である。何れの選択手順もその場合選択を候補正弦波から行い、その後、結果を合成し得る。
【０００９】
本発明の更に別の実施例では、選択される正弦波の周波数付近の局所周波数帯域の帯域幅が選択正弦波の周波数に依存して規定される。このように選択される正弦波に依存するので、更なる選択手順は、種々の周波数に適切に合わせることが可能である。本発明の更に別の実施例では、選択される正弦波の周波数に依存することは人間の聴覚に基づいている。そのような依存の例としてバーク帯域幅によって定義されるものがある。バークは知覚周波数の単位であり、公知である。別の例には、メル・スケール及びERBスケールがあり、これらも公知である。人間の聴覚を考慮することによって、選択正弦波を更に選択される正弦波として選択するよう、より良好な判定が行われる。
【００１０】
本発明の別の特徴では、選択正弦波は、その振幅が振幅の合成に対して相当なものである場合に更に選択される正弦波として更に選択され、それが相当であることは、選択される正弦波の振幅と、局所周波数帯域内の選択正弦波のうちの少なくとも１つが排除される、選択正弦波の局所周波数内の周波数成分の重み付け平均振幅との間の差異を閾値処理することによって評価される。この差異を閾値処理することによって、選択正弦波のピーク性を判定する適切な方法が得られる。
【００１１】
本発明の更に別の特徴によれば、選択正弦波の振幅は、選択正弦波の振幅と、局所周波数帯域内の選択正弦波のうちの少なくとも１つが排除される、選択正弦波の局所周波数帯域内の周波数成分の重み付け平均振幅との間の差異の、局所周波数帯域内の周波数成分の振幅のうちの少なくとも１つが排除される、局所周波数帯域内の周波数成分の振幅の重み付け偏差に対する比率を閾値処理することによって評価される。この誤差については、例えば、標準偏差の定義を用い得る。上記比率を閾値処理することによって、選択正弦波のピーク性を判定する別の適切な方法が得られる。
【発明を実施するための最良の形態】
【００１２】
本発明の上記特徴やその他の特徴は、以下に説明する本願実施例から明らかであり、その本願実施例を参照しながら明らかとなる。
【００１３】
添付図面は、本発明を理解するうえで必要な構成要素のみを示す。
【実施例】
【００１４】
図１は、入力オーディオ信号x(t)を得る入力装置10を備える、本発明によるオーディオ符号器1の実施例を示す。オーディオ符号器1は入力信号を３つの構成部分、すなわち、トランジェント信号成分、正弦波信号成分及び雑音信号成分に分割する。オーディオ符号器1は、トランジェント符号器11、正弦波符号器12及び雑音解析器13を備える。
【００１５】
トランジェント符号器11は、トランジェント検知器（ＴＤ）110、トランジェント解析器（ＴＡ）111及びトランジェント合成器（ＴＳ）112を備える。まず、信号x(t)はトランジェント検知器110、トランジェント解析器111及び減算器15に入力される。トランジェント検知器110は、トランジェント信号成分の存在と位置とを推定する。この情報はトランジェント解析器111に入力される。この情報は、正弦波解析器（SA）120又は雑音解析器（NA）13において用いられて、効果的な信号誘導セグメンテーションを得る。トランジェント解析器111はトランジェント信号成分（の主部分）を抽出しようとする。これは例えば、形状関数を信号セグメントに一致させ、形状関数の下にあるコンテンツ、例えば、いくつかの正弦波（少数の正弦波）を判定することによって行われる。この情報は、トランジェント符号CTが有する。トランジェント符号CTはトランジェント合成器112及び多重化装置14に供給される。合成トランジェント信号成分は入力信号x(t)から減算器15において減算され、信号xiを発生させ、この信号は正弦波解析器120及び別の減算器16に供給される。正弦波解析器120は正弦波信号成分を判定する。この情報は、正弦波合成器（SS）121及び多重化装置14に供給される正弦波符号Csが有する。正弦波符号Csから、正弦波信号成分が正弦波合成器121によって再構成される。この信号は減算器16において入力信号xlから減算される。残りの信号x2は（大きな）トランジェント信号成分及び（主）正弦波信号成分を欠いており、よって、主に雑音を有するものとする。よって、信号x2は雑音解析器13に供給され、この信号は雑音解析器でそのスペクトル・エンベロープ及び時間エンベロープについて解析される。この情報は、雑音符号CNが有する。多重化装置14では、符号CT、Cs、CNを有するオーディオ・ストリームASが構成される。オーディオ・ストリームASは例えば、データ・バス、アンテナ・システム、記憶媒体などに供給される。
【００１６】
以下では、本発明の実施例による、正弦波解析器120における正弦波の選択を記載することとする。この正弦波選択手順をトランジェント解析器111において用いることも可能であるが、そこでは少数の正弦波しか解析されないので、これは実際にはほとんど行われない。
【００１７】
正弦波が実際に選択される前に、まず、いくつかの候補正弦波が選択される。解析がオーディオ信号の第１セグメントに対して行われ、そこから解析候補正弦波が選択される。この選択は例えば、第１セグメントに対する周波数解析を用いるピーク選択又はマッチング追跡などの従来の手法によって行うことが可能である。その結果は、いくつかの候補正弦波となり、その周波数はF=(f1,f2,…,fL)に記憶され、Lは候補正弦波数であり、周波数fiはヘルツ(Hz)で規定される。候補正弦波のうちの少なくとも１つに対して、候補正弦波の位相の一致性に基づいた、更に特定の正弦波選択手順が適用されることになる。候補正弦波の位相の一致性は、特定の時点での候補正弦波の位相を別の時点で判定される候補正弦波の位相から予測することが可能である程度によって規定される。次に、候補正弦波が選択正弦波として、位相の一致性が所定の閾値を上回る場合に選択される。
【００１８】
本発明の実施例では、候補正弦波の位相の一致性は、まず、オーディオ信号の第２セグメントを小部分に分割することによって判定される。この第２セグメントは通常、候補正弦波の選定に用いられる第１セグメントに等しくなるが、別の第２セグメントも用い得る。候補正弦波の位相の一致性を判定するには2つ以上の小部分が利用可能でなければならない。小部分は場合によってはお互いに重なりあってよいが、それはかならずしもあてはまるものでない。第２セグメントxsは例えば、図2に示すように３つの重なり合う小部分に分割し得る。Nが第２セグメントxのサンプル数であり、Nが偶数である場合、小部分は
【００１９】
【数１】
2006510937.tif 000003
によって定義され、M=N/2であり、1≦k≦Mである。小部分の、
【００２０】
【数２】
2006510937.tif 000004
と、
【００２１】
【数３】
2006510937.tif 000005
と、
【００２２】
【数４】
2006510937.tif 000006
は各々、長さMを有する。これらの３つの小部分の各々に対して、Fからの周波数fiを有する候補正弦波の実際の位相が判定される。この目的で、周波数解析に適した小部分をウィンドウイングすることが可能であり、その後は、周波数解析をFFT手順のように行うことが可能である。位相を判定する位置の例を図2においてφ1、φ2、φ3によって示す。次に、位相は、この場合、小部分1から２まで、小部分２から３まで、更には、小部分１から３まで予測することが可能である。実際の位相と予測位相との間の差異は候補正弦波に対する、
【００２３】
【数５】
2006510937.tif 000007
の予測エラーにつながり、予測エラーはモジュロ（mod(2π)）で表し、位相φ1、φ2、φ3
はラジアンで表し、Tは秒で表し、T=M/Fsによって定義し、Fsはサンプリング周波数（例えば、44.1kHz）である。これらの予測エラーEに基づいた特定の基準を用いて、候補正弦波を選択正弦波として選択することが可能である。考えられる基準としては
【００２４】
【数６】
2006510937.tif 000008
の条件のうちの少なくとも１つが真であるかのテストがあり得るものであり、cは通常、第２セグメントxsのサンプル数N、及び小部分の、
【００２５】
【数７】
2006510937.tif 000009
と、
【００２６】
【数８】
2006510937.tif 000010
と、
【００２７】
【数９】
2006510937.tif 000011
とのサンプル数Mによって変わってくる。Cの定義の例としては：
【００２８】
【数１０】
2006510937.tif 000012
がある。
【００２９】
本発明の別の実施例では、選択正弦波の別の選択が行われる。図3は、選択正弦波に対して適用される別の選択処理を表す構成図である。これらの選択正弦波の周波数は、Fq＝(f1,f2,…,fR)に記憶され、Rは選択正弦波の数であり、周波数fiはヘルツ(Hz)で定義される。周波数解析に適した第３セグメントをウィンドウイングすることが可能であり、その結果、ウィンドウ・セグメントxwがもたらされる。第３セグメントは通常、正弦波の先行選択に用いられた第２セグメントに等しくなるが、異なる第３セグメントも用いることが可能である。第１に、前処理段（PP）が行われる。（I）では、Fqからの周波数fi毎に、選択正弦波が合成され、ウィンドウ・セグメントxwから減算される。（II）では、結果セグメントxwsは長さPにゼロパディングされ、例えばFFT手順によってその周波数成分について解析される。結果の振幅スペクトルは│Xs│によって表す。第２に、(III)では、セグメントxwsは、長さPにゼロパディングされ、周波数を減算することなくその周波数成分について解析され、その結果、振幅スペクトル│X│がもたらされる。前処理段の後、選択手順が、（IV）によって初期化されるFqからの周波数fiを有する選択正弦波のうちの少なくとも１つについて開始される。(V)では、局所周波数帯域が周波数fi付近で判定される。局所周波数帯域を規定するよう、種々の定義を用いることが可能である。この場合、例えば、臨界帯域幅
【００３０】
【数１１】
2006510937.tif 000013
によって定義される、バーク帯域幅を用いることが選択される。ヘルツ(Hz)によって規定される臨界帯域幅b(fi)から、境界周波数fa及びfbは
【００３１】
【数１２】
2006510937.tif 000014
によって判定される。スペクトルは、
【００３２】
【数１３】
2006510937.tif 000015
によって、周波数fspectに対して0から(P−1)まで及ぶ指数ispectによって指数化される。よって、境界周波数fa及びfbに相当するスペクトルにおける指数ia及びibは
【００３３】
【数１４】
2006510937.tif 000016
によって判定され、round(r)はrを最も近い整数に丸める。こうして局所周波数帯域が定義されると、選択正弦波の周波数帯域
【００３４】
【数１５】
2006510937.tif 000017
の平均振幅が(IV)で│Xs│から
【００３５】
【数１６】
2006510937.tif 000018
によって計算され、As(k)は指数kでの振幅スペクトル│Xs│における周波数成分の振幅であり、Wl(k)は指数kによって変わってくる重み付け因子である。重み付け因子はk全てについて一定であり得る。しかし、重み付け因子は、境界効果を削減するために、例えば、境界周波数指数ia又はibのうちの１つにより近い指数kについて減少するものでもあり得る。選択正弦波は、その局所周波数帯域内の別の振幅に応じて別の選択正弦波として更に選択されることになる。したがって、選択正弦波を別の選択正弦波として更に選択する方法は、(9)に計算される、選択正弦波の周波数帯域
【００３６】
【数１７】
2006510937.tif 000019
の重み付け平均振幅と、その選択正弦波
【００３７】
【数１８】
2006510937.tif 000020
の、振幅スペクトルにおける指数
【００３８】
【数１９】
2006510937.tif 000021
が
【００３９】
【数２０】
2006510937.tif 000022
によって判定することが可能であるその選択正弦波の振幅に基づいた基準を用いるものである。
【００４０】
本発明の更に別の実施例では、別の選択手順において用いる基準は更に、
【００４１】
【数２１】
2006510937.tif 000023
によって（VI）で計算される、選択正弦波の局所周波数帯域の標準偏差σiも備え、W2(k)は指数kによって変わってくる別の重み付け因子である。別の重み付け因子はk全てについて一定であり得る。しかし、別の重み付け因子は例えば、境界効果を削減するために、例えば、境界周波数指数ia又はibのうちの１つにより近い指数kについて減少するものでもあり得る。選択正弦波Aiの振幅、選択正弦波の周波数帯域の平均振幅
【００４２】
【数２２】
2006510937.tif 000024
及び標準偏差σiから、選択正弦波のピーク性の尺度である比率riを定義し得る。
【００４３】
【数２３】
2006510937.tif 000025
選択基準（VIII）では、この比率riは閾値Tiと比較される。閾値Tiは、例えば、固定閾値又は、選択正弦波fiの周波数、周波数スペクトルにおける周波数の指数
【００４４】
【数２４】
2006510937.tif 000026
及び/又は周波数解析に用いるサンプル数Pなどの特定のパラメータによって変わってくる閾値であり得る。閾値Tiの定義例としては
【００４５】
【数２５】
2006510937.tif 000027
がある。比率riが閾値Tiを上回る場合、周波数fiの選択正弦波は符号化（S）するよう保有される。さもなければ、選択正弦波は棄却される（NS）。
【００４６】
図4は、図1に示すオーディオ符号器1を備える、本発明によるオーディオ・システムの実施例を示す。そのようなシステムは、記録する特徴及び/又は伝送する特徴を提供する。オーディオ信号x(t)はオーディオ・プレイヤ、マイクロフォン又はオーディオ入力コネクタなどのオーディオ信号獲得装置41によって獲得される。オーディオ信号x(t)は図1に示すオーディオ符号器1の入力としての役目を担う。出力オーディオ・ストリームASはオーディオ符号器1からフォーマッティング装置42に供給され、フォーマッティング装置は、オーディオ・ストリームASを、無線接続、データ・バス又は記憶媒体であり得る通信チャネル43に適したかたちでフォーマッティングする。通信チャネル43が記憶媒体である場合には、記憶媒体はシステムにおいて固定されているか、取り外し可能ディスク、メモリ・スティックなどでもあり得る。通信チャネル43は、オーディオ・システムの一部である場合があるが、しかし、多くの場合、オーディオ・システムの外にあるものである。
【００４７】
なお、上記実施例は、本発明を限定するよりもむしろ例示するものであり、当業者は、本特許請求の範囲記載の範囲から逸脱することなく多くの別の実施例を企図することができるものである。本特許請求の範囲では、括弧の中の何れかの参照符号は当該請求項を限定するものとして解されないこととする。「compromising」の語は、請求項記載のもの以外の別の構成要素又は工程の存在を排除するものでない。本発明は、いくつかの別個の構成要素を備えるハードウェアによって実施することが可能であり、かつ、適切にプログラムされたコンピュータによって実施することが可能である。いくつかの手段を記載する装置クレイムでは、これらの手段のうちのいくつかは、同一のハードウェア・アイテムによって実施することが可能である。単に、特定の方策がお互いに別々の従属項に記載されていることは、この方策の組み合わせが効果的に利用可能でないということを示すものでない。
【００４８】
要約すれば、本発明は、複数の正弦波によってオーディオ信号のうちの少なくとも一部を表すことによってオーディオ信号を符号化する方法を備え、この方法は、オーディオ信号の第１セグメントに対して解析を行う工程、解析に基づいて候補正弦波を選択する工程、特定の時点での候補正弦波の位相を別の時点で判定される候補正弦波の位相から予測することが可能である程度によって規定される位相の一致性を候補正弦波のうちの少なくとも１つについて判定する工程、及び位相の一致性が所定の閾値を上回る場合、候補正弦波を選択正弦波として選択する工程を備える。本発明による、正弦波の選択は、所定のオーディオ品質に対して符号化される対象の正弦波の数を少なくすることになり、これは、所定のオーディオ品質に対するビット・レートの点で効果的である。
【図面の簡単な説明】
【００４９】
【図１】本発明によるオーディオ符号器の実施例を示す図である。
【図２】候補正弦波の位相の一致性を判定するよう、オーディオ・セグメントを小部分に分割する例を示す図である。
【図３】本発明による、選択正弦波に対して適用される別の選択手順を表す構成図を示す図である。
【図４】本発明によるオーディオ・システムの実施例を示す図である。
【図１】
2006510937.tif 000028
【図２】
2006510937.tif 000029
【図４】
2006510937.tif 000030
【図３】
2006510937.tif 000031
【国際調査報告】
2006510937.tif 000032
2006510937.tif 000033
2006510937.tif 000034